(57)【要約】【課題】もし１つのダンボールに対し、ＩＴＦバーコードの多数利用が可能であれば「作業効率の向上」、または「梱包箱の中身商品の管理レベルの向上」が見込める。一方、人間の目から見た外観上では、同色のＩＴＦバーコードを識別することは難しく、一般的には１つのダンボールに１〜２つのＩＴＦバーコードに限定して利用されているのが現状で、作業進捗情報量や商品管理情報量について制約を受けている。【解決手段】そこで、人間の目で簡単に識別ができるようＩＴＦバーコードをカラー化し、１つのダンボールにＩＴＦバーコードの複数利用が可能となることを特徴とし、バーコードを利用する各作業員が間違うことなく、それぞれの目的に合ったＩＴＦバーコードを識別できることで、１つのダンボールに複数のＩＴＦバーコードを印刷・利用でき、利用バーコード数に比例して、追加情報の利用を可能とする手段である。【選択図】図１
2018022466.tif 000002
【特許請求の範囲】
【請求項１】
ＩＴＦバーコードが印刷されたダンボールであって、単一色のバーコードを読み取る機能を有するバーコードリーダを用いて読み取り可能な色であり、かつ互いに異なる単一色からなる前記ＩＴＦバーコードが複数設けられ、前記の複数バーコードが異なる情報を有することを特徴とする多色式バーコード付きダンボール。
【発明の詳細な説明】
【技術分野】
【０００１】  本発明は、１つのダンボールに複数のＩＴＦバーコード（Ｉｎｔｅｒｌｅａｖｅｄ  Ｔｗｏ  ｏｆ  Ｆｉｖｅ）利用に関する。
【背景技術】
【０００２】従来、１つのダンボールには、単一色の１〜２つのＩＴＦバーコードが限定して用いられている。【０００３】人間の目から見ると、単一色のＩＴＦバーコードはバーとスペースの特徴から複数のＩＴＦバーコードの識別は難しく、１つの梱包箱に識別利用可能な数として、１〜２つが印刷されているのが実情である。【０００４】メーカーが商品を製造してから小売りに届くまでのサプライチェーンにおいて、「製造年月日」「品質保持期限」「賞味期限」「梱包番号」「入り数」「重量／体積／容積」「ロットナンバー」「ロケーションナンバー（出荷先）」「請求先企業コード」「顧客発注番号」など、多数の情報があれば、「作業効率の向上」、または「梱包箱の中身商品の管理レベルの向上」が見込める。【０００５】つまり現状の１〜２つに格納されるＩＴＦバーコードの情報量では、足りていない。【０００６】その為、ＩＴＦバーコードではないＧＳ１−１２８（ＧＳ１が制定、但し制定当時は国際ＥＡＮ協会であった）など、十分な情報が格納できる高精細なバーコードラベルがダンボール印刷工程とは別工程の追加作業でダンボールに貼り付けられて使用されている。
【先行技術文献】
【特許文献】
【０００７】
【特許文献１】特表２０１２−５０２３８３（Ｐ２０１２−５０２３８３Ａ）
【発明の概要】
【発明が解決しようとする課題】
【０００８】一般に小売商品には一次元バーコードと言われるバーとスペースの組み合わせ形式のバーコードが印刷されている。
そのバーコード情報の中に、梱包されている製品の製造年月日や発注番号などが入力されていれば、サプライチェーンマネジメントの効率的な運用に対応することができ、実際にＧＳ１−１２８バーコードという形式のバーコードが商品管理に利用されている。
ただ、ＧＳ１−１２８バーコードはその印刷技術面において線幅など高精細な印字を要する為、ダンボール箱に直接印刷できていないのが現状であり、専用にラベルを用意してそこにＧＳ１−１２８バーコード１つを印刷し、そのラベル１枚をダンボールに貼り付けるという運用になっている。
そのため現状の商品管理現場では、作業工数や設備投資の経済性の制約により、ダンボールへの直接印刷という観点で言えば、ＩＴＦバーコードという桁数の少ない大柄なデザインのものがより多く利用されている。
ＩＴＦバーコードはＧＳ１−１２８バーコードと比べバーコードに保存できる情報量が格段に少なく、前記を補うためダンボール１箱につき、最大で２つ印刷されているケースが多い。
１つのダンボールに対し３つ以上のバーコード利用は、人間の目から見た外観上では判別に難があるので利用されていないのが現状である。
また例えば特表２０１２−５０２３８３号に公表された「多色刷りコード」を利用すれば異なるカラーを用いることで３つ以上のバーコードを区別して利用することも可能であるが、既存のバーコード読取リーダーを利用できなく、カラー対応のリーダーを準備する必要があり、その投資的制約から流通現場に導入されていないのが現状である。
【課題を解決するための手段】
【０００９】これに対して本発明は、単一色用バーコードリーダーで読み取り可能な範囲内でダンボールに印刷するバーコードをカラー化・多色化し、同一のダンボールに複数のバーコードを利用することを目的とするものである。以下に前記特徴を説明する。【００１０】一般に利用・流通されている単一色用バーコードリーダーは、照射したレーザ光の乱反射の強弱を読み取っているに過ぎず、カラーの識別ができているわけではない。
一方、人間の目にはレーザの読取可能な範囲で色の識別が可能である。
例えば「濃紺」「濃紫」「濃緑」「濃茶」などは人間の目においてそれら相互の識別は容易である一方、一般に利用されている単一色用のバーコードリーダーも単純に読取可能である。
本特性を利用することで、あらかじめ作り手と読み手がルールを作成し、仮にダンボールのある一面の左上から濃い赤色系統のバーコードで生産者が「製造年月日」等作り手側の情報を保存し、右上には濃い青系統のバーコードで運送業者や荷受け業者が利用する情報を保存する。
つまり単一色用バーコードリーダーで読み取り可能な範囲内でダンボールに印刷するバーコードをカラー化・多色化し、同一のダンボールに複数のバーコードを利用する。
【発明の効果】
【００１１】バーコードの色彩を作り手と読み手のルールに基づいて利用目的別に異なる色彩や配置を割り当てたバーコードを利用する。
単一色のバーとスペースの組み合わせの外観では作業員の目による識別が難しかったバーコードを多色の色彩で印刷・利用することにより、各利用者が自分に割り当てられたバーコードの識別が容易になり、１つの梱包箱に複数のバーコード利用が可能となる。
つまり製品の識別、製品のトレース・監視・管理、物流に必要な情報の増加を可能とするもので、その先にはサプライチェーンマネジメントやＰＯＳシステム（販売時点情報管理／ｐｏｉｎｔ  ｏｆ  ｓａｌｅｓ  ｓｙｓｔｅｍ）に対応した運用を目指すものである。
【図面の簡単な説明】
【００１２】
【図１】バーコードを多色化した説明図１。
【図２】バーコードを多色化した説明図２。
【発明を実施するための形態】
【００１３】人間の目から見た外観上では、同じ色のＩＴＦバーコードのバーとスペースの特徴からの識別は難しく、１つの梱包箱に識別利用可能な数としては、１〜２つのＩＴＦバーコードが印刷されているのが実情である。
メーカーが商品を製造してから小売りに届くまでのサプライチェーンにおいて、「製造年月日」「品質保持期限」「賞味期限」「梱包番号」「入り数」「重量／体積／容積」「ロットナンバー」「ロケーションナンバー（出荷先）」「請求先企業コード」「顧客発注番号」など、多数の情報があれば、「作業効率の向上」、または「梱包箱の中身商品の管理レベルの向上」が見込める。
つまり現状の１〜２つに格納されるＩＴＦバーコードの情報量を増加できれば利用に値する。
既存の単一色用バーコードリーダーをそのまま流用すべく、ダンボールに印刷されるバーコードの色を一般に利用されることの多い既存の「黒」に加え、他読み取り可能な「濃紺」「濃紫」「濃緑」「濃茶」等を利用する。
単一色用バーコードリーダーをそのまま利用でき、一方人間の目には色の識別が可能で複数のＩＴＦバーコードの利用が可能であれば、配置などのレイアウトデザインについては特に限定されるものではない。
【産業上の利用可能性】
【００１４】現在のサプライチェーンマネジメント体制の普及や今後ますます高まる商品管理・トレース体制の強化やジャストインタイム方式などリアルタイムでの管理を情報技術と一体化させて運用している現状を鑑みれば、前記手段の利用は利便性向上／コスト低減に繋がるものである。
【図１】
2018022466.tif 000003
【図２】
2018022466.tif 000004
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
ＩＴＦバーコードが印刷されたダンボールに、単一色のバーコードを読み取る機能を有するバーコードリーダを用いて読み取り可能な色で、かつ互いに異なる単一色からなる前記ＩＴＦバーコードを複数設け、あらかじめ作り手と読み手がルールを作成して前記の複数バーコードの異なる情報をやりとりすることを特徴とする多色式バーコード付きダンボールの情報管理方法。